(57)【要約】  【課題】高精細な多諧調画像を形成できるレーザマーキングによる多諧調画像形成方法を提供する。  【解決手段】フェムト秒レーザを被照射体３０に照射して、被照射体３０の内部に着色層（レイヤー１、レイヤー２、レイヤー３、レイヤー４、レイヤー５）の重ね合わせを形成する。層状の着色画像（レイヤー１、レイヤー２、レイヤー３、レイヤー４、レイヤー５）を幾層にも重ね合わせることで、被照射体３０の表面から見た着色画像の濃淡を、重ね合わせた層の数に応じて変えることができる。  【選択図】図２
2008044327.tif 000002
【特許請求の範囲】
【請求項１】
フェムト秒レーザを被照射体に照射して、前記被照射体の内部に多諧調画像を形成する方法であって、
フェムト秒レーザの集光距離を所定距離に設定し、前記被照射体を前記フェムト秒レーザの照射方向と垂直な方向に相対移動して、被照射体内部の前記フェムト秒レーザの集光位置に着色層を形成する第１のステップと、
前記フェムト秒レーザの集光距離を以前のステップで未だ設定されていない距離に設定し、前記被照射体を前記フェムト秒レーザの照射方向と垂直な方向に相対移動して、被照射体内部の前記フェムト秒レーザの集光位置に、以前のステップで形成された着色層と少なくとも一部が重なる着色層を形成する第２のステップと、
を備え、前記第２のステップの処理を１または複数回行うことを特徴とする多諧調画像形成方法。
【請求項２】
請求項１に記載の多諧調画像形成方法であって、前記フェムト秒レーザの集光位置に、前記着色層を形成するためのカラーセンタを生成することを特徴とする多諧調画像形成方法。
【請求項３】
請求項１または２に記載の多諧調画像形成方法であって、前記フェムト秒レーザの波長を紫外線の波長の２倍に設定することを特徴とする多諧調画像形成方法。
【請求項４】
請求項１に記載の多諧調画像形成方法であって、前記被照射体が銀を含有するガラスであることを特徴とする多諧調画像形成方法。
【発明の詳細な説明】
【技術分野】
【０００１】
本発明は、レーザを用いてガラス等に濃淡を有する多諧調画像を形成する方法に関し、特に、高精細な多諧調画像の形成を可能にするものである。
【背景技術】
【０００２】
従来から、ガラスを紫外線で照射すると、着色することが知られている（例えば、下記非特許文献１参照）。
紫外線をガラスに当てると、ガラス中の電子が開放される。開放された電子の大部分は元に戻るが、一部の電子はガラス中の不純物などにトラップされ、欠陥と呼ばれるホールとトラップ電子との対が生成する。これらの欠陥は、紫外域から可視域に掛けて吸収を持つので、ガラスが色付いて見える。そのため、これらの欠陥は色中心（カラーセンタ）とも呼ばれる。
【０００３】
例えば、ケイ酸塩ガラスに紫外線を照射すると、図８の式に示すように、１つのシリコンと結合した酸素（非架橋酸素と呼ぶ）から電子が飛び出し、可視域に吸収を持つカラーセンタとして非架橋酸素ホールセンタが生成する。ガラスは、このカラーセンタによって茶系統に着色する。なお、図８の式中のＭは、飛び出した電子をトラップするガラス中の陽イオンを示している。
このカラーセンタは、ガラスを５５０℃で加熱すると消失し、ガラスは脱色する。
【０００４】
また、下記非特許文献２には、レーザマーキング技術を応用して無色ガラスに着色図形を描く方法が開示されている。この方法では、無色ガラスを紫外レーザで照射し、その照射位置を、描こうとする図形に沿って動かす。こうすると、紫外レーザが当たった位置のガラスは、その深さ方向の全ての部位でカラーセンタが生成して変色する。そのため、紫外レーザの軌跡に沿った着色図形を形成することができる。
【非特許文献１】作花済夫，境野照雄他編“ガラスハンドブック”朝倉書店，1984，825-840
【非特許文献２】山手貴志，多門宏幸他“レーザによるガラスの着色と，それを利用したリサイクルに適する着色ガラスの作製”レーザ加工学会誌，9(2)，2002，69-72
【発明の開示】
【発明が解決しようとする課題】
【０００５】
レーザマーキングは、装飾用途や製品管理、偽造防止など幅広い分野での応用が期待されている。しかし、レーザマーキングでは、濃淡を持つ多諧調の着色画像を形成することが難しく、それが応用範囲を狭めている。
前述した、ガラスに紫外レーザを照射して着色図形を描く方法では、紫外レーザの強度を変えて色の濃淡を表すことは可能であるが、この場合は、ドットの大きさを変えて擬似的に諧調を再現する“ハーフトーン”と同様の手法によるため、高精細な多諧調画像を得ることができない。
【０００６】
本発明は、こうした従来の状況を考慮して創案したものであり、高精細な多諧調画像を形成することができるレーザマーキングによる多諧調画像形成方法を提供することを目的としている。
【課題を解決するための手段】
【０００７】
本発明は、フェムト秒レーザを被照射体に照射して、被照射体の内部に多諧調画像を形成する方法であり、フェムト秒レーザの集光距離を所定距離に設定し、被照射体をフェムト秒レーザの照射方向と垂直な方向に相対移動して、被照射体内部のフェムト秒レーザの集光位置に着色層を形成する第１のステップと、フェムト秒レーザの集光距離を以前のステップで未だ設定されていない距離に設定し、被照射体をフェムト秒レーザの照射方向と垂直な方向に相対移動して、被照射体内部のフェムト秒レーザの集光位置に、以前のステップで形成された着色層と少なくとも一部が重なる着色層を形成する第２のステップとを備え、前記第２のステップの処理を１または複数回行うことにより多諧調画像を形成するものである。
【０００８】
フェムト秒レーザは、超短パルスレーザを繰り返し発振しており、その１つのパルスによる照射時間はフェムト（１０-15）秒オーダである。このように、１パルスの照射時間が短く、１パルスによる照射エネルギが極めて小さいため、レーザの集光位置をガラス等の被照射体の内部に設定した場合に、１パルスによる作用は、集光位置のガラス部位以外には及ばない。そのため、集光距離を一定にして、フェムト秒レーザをガラスに対して相対的に走査すれば、ガラス内に層状の着色画像を描くことができる。そして、レーザの集光距離を変え、層状の着色画像を幾層にも重ね合わせることで、ガラス表面から見た着色画像の濃淡を、重ね合わせた層の数に応じて変えることができる。
【０００９】
また、本発明の多諧調画像形成方法では、フェムト秒レーザの集光位置に、着色層を形成するためのカラーセンタを生成することが好ましい。
【００１０】
また、本発明の多諧調画像形成方法では、フェムト秒レーザの波長を紫外線の波長の２倍に設定することが好ましい。
【００１１】
フェムト秒レーザは、フォトンを焦点位置に時間的・空間的に強く閉じ込めるため、焦点位置で２光子吸収が生じ、２つのフォトンが同時に消滅して、そのエネルギの和に相当する１個の電子が励起される。従って、フェムト秒レーザの波長を紫外線の波長の２倍に設定すると、フェムト秒レーザの２個のフォトンエネルギ加算値が紫外光１個のフォトンエネルギと等価になり、ガラスは、紫外光の照射を受けたときと同様に、カラーセンタを形成する。
【００１２】
また、本発明の多諧調画像形成方法では、被照射体として銀を含有するガラスを用いることができる。
銀を含有するガラスに対して、前述する多諧調画像の形成方法を適用すると、色の濃淡の変化と共に、色の変化を出現させることができる。
【発明の効果】
【００１３】
本発明では、ガラス等の被照射体の内部に、高精細な多諧調画像を形成することが可能であり、ガラス内部に写真などの画像を忠実に再現することができる。
また、この画像は、被照射体を加熱し、あるいは紫外線を再照射すれば消去することができ、書き換えが可能である。
【発明を実施するための最良の形態】
【００１４】
（第１の実施形態）
図１は、本発明の第１の実施形態における多諧調画像形成方法に用いるフェムト秒レーザ装置を示している。
この装置は、フェムト秒レーザを出力するレーザ出力装置１０と、λ／２板１１と、入射光が同一光路を通って反射することを防止するＧｌａｎレーザープリズム１２と、光量を調節するＮＤフィルタ１３と、シャッター１４と、ミラー１５、１６と、撮影用のＣＣＤカメラ１９と、カメラ位置に焦点を合わせるレンズ１８と、可視光のＢＲＧ成分を分岐するディクロイックミラー１７と、レーザを集光する集光レンズ２０と、試料３０を載置した状態でＸ、Ｙ、Ｚ方向に移動できる自動３軸ステージ２１と、シャッター１４及び自動３軸ステージ２１を制御するコントローラ２２とを備えている。
【００１５】
ここでは、レーザ出力装置１０に、パルス幅２００ｆｓ、繰り返し周波数（ｆ）＝１ｋＨｚのフェムト秒レーザを出力する装置を使用している。シャッター１４は、レーザ光用の精密シャッター（１０ｍｓ分解能）を使用している。集光レンズ２０は、焦点距離８ｍｍ（Ｎ．Ａ．＝０．５）のレンズを使用している。また、自動３軸ステージ２１は、エアー静圧３軸リニアステージを用いている。コントローラ２２は、試料３０の所望箇所にレーザ照射ができるようにシャッター１４及び自動３軸ステージ２１を制御する。
また、試料３０には、厚み１．０ｍｍのソーダ石灰ガラスを使用し、この試料３０にフェムト秒レーザ装置を用いて多諧調画像を形成した。
【００１６】
なお、装置にはビーム走査用にガルバノミラーシステムを付加して画像形成速度を速めることができる。ガルバノミラーは、軸に固定された回転自由なミラーであり、このミラーの回転を制御して、ミラーに反射したレーザ光での走査を行わせる。
【００１７】
図２は、試料３０に形成した多諧調画像を模式的に示している。この多諧調画像は、レイヤー１からレイヤー５までの５層の着色層から成り、試料３０の表面から見ると、重なった層の数が多い箇所では色が濃く、重なった層の数が少ない箇所では色が薄く見える。
この多諧調画像は、次のように形成する。
フェムト秒レーザ装置は、レーザ出力を１０ｍＷ、レーザ波長（λ）を７７５ｎｍ（可視域）に設定する。
【００１８】
なお、レーザ波長の７７５ｎｍは、紫外線の波長３８８ｎｍの２倍である。この場合、レーザの光子エネルギ（ｈｃ／λ）は、紫外線の光子エネルギの半分となる。そのため、２光子吸収によりレーザの２つの光子が同時にガラスに吸収されると、紫外線の１つの光子を吸収した場合と等価になる。
【００１９】
また、自動３軸ステージ２１のＸ、Ｙ方向の移動は、試料３０の面がレーザによって走査速度１ｍｍ／ｓ、ピッチ幅１０μｍで相対的に走査されるようにコントローラ２２で制御する。
【００２０】
まず、レーザの焦点位置が試料３０の内部に位置するように自動３軸ステージ２１のＺ方向の位置を設定し、走査面積が２ｍｍ×１０ｍｍとなるように自動３軸ステージ２１のＸ、Ｙ方向を制御しながら、試料３０にレーザ光を照射する。
この走査に伴って試料３０内の集光位置にはカラーセンタが生成され、レイヤー１の着色層が形成される。
【００２１】
次に、焦点位置を１００μｍ上げ、走査面積が２ｍｍ×８ｍｍとなるように自動３軸ステージ２１のＸ、Ｙ方向を制御しながら、試料３０にレーザ光を照射し、レイヤー２の着色層を形成する。
【００２２】
さらに、焦点位置を１００μｍずつ上げながら、走査面積を２ｍｍ×６ｍｍ、２ｍｍ×４ｍｍ、及び２ｍｍ×２ｍｍに設定して、レイヤー３、レイヤー４及びレイヤー５の着色層を形成する。
【００２３】
図３は、実際に試料３０に形成された多諧調画像を示している。この画像は、茶色に着色されており、濃淡を有している。分光光度計（島津製作所社製、ＵＶ−３１５０）を用いて、波長５３２ｎｍの光が発色部を透過する透過率について測定したところ、レイヤー１のみのときが８９％、レイヤー１、２のときが８２％、レイヤー１、２、３のときが７８％、レイヤー１、２、３、４のときが６９％、そして、レイヤー１、２、３、４、５のときが６３％であった。
この測定結果から、層の重なりが多いほど透過率が小さくなり、色が濃くなっていくことが確かめられた。
【００２４】
この多諧調着色画像は、試料３０を５５０℃で６０分加熱すると消失する。また、紫外線ランプを用いて着色画像を照射した場合にも、画像が消失する現象を確認した。なお、フェムト秒レーザを同一箇所に幾ら照射しても着色画像は変化しない。
【００２５】
また、図４は、濃淡を有する絵画の画像をレーザマーキングでガラス内に形成する場合を示している。
まず、絵画の写真を画像処理してグレースケール化し、色の濃さが異なる５枚の画像を生成する。次に、各画像をレイヤー１、２、３、４、５として、フェムト秒レーザ装置により、前述する方法で各レイヤーの着色層をガラス内部に重ね合わせて形成する。このとき、着色しない箇所は、シャッター１４を閉じてレーザ光を遮断する。
【００２６】
なお、色の濃さが異なる複数枚の画像の生成は、取り込んだ画像におけるコントラストを認識して、諧調の異なる複数の画像に分ける画像処理ソフトを使用して行う。また、得られた各画像を描画するためにコントローラ２２に搭載するＮＣプログラムやガルバノミラー制御プログラムは、ＣＡＭソフトを使用して自動作成する。
【００２７】
この各レイヤーの着色層の重ね合わせにより、ガラス内部に濃淡を有する絵画の画像が形成される。フェムト秒レーザ装置では、１ドット／μｍの解像度で描画できるため、ガラス内に絵画を忠実に再現できる。
【００２８】
また、図５は、建物のデジタル写真をグレースケール化して９層のレイヤーに分解し、ガラス内部に、各レイヤーの着色層を重ね合わせて形成した例を示している。このように諧調を増やすことでさらに高精細な多諧調画像を得ることができる。
これらの多諧調画像も、試料３０を５５０℃で６０分加熱したり、紫外線ランプを照射したりすれば消失する。
【００２９】
（第２の実施形態）
本発明の第２の実施形態では、銀を含有するガラス内に多諧調着色画像を形成する方法について説明する。
前記非特許文献２では、銀を含有するソーダ石灰ガラスを加熱すると黄色に着色することが報告されている。
金属微粒子は、表面プラズモンによって発色することが知られており、中でも銀の微粒子は、粒子径に応じて複数の色を現すことが知られている。図６に示す表は、銀の粒子径と透過色との関係を示している。
図６の関係から、黄色に着色した銀含有ガラスは、粒子径１０ｎｍの銀粒子がガラス中に分散していると考えられる。
【００３０】
第２の実施形態の多諧調着色画像形成方法では、銀を含有するソーダ石灰ガラスに対して、第１の実施形態の方法と同様に、レーザ出力１０ｍＷ、走査速度１ｍｍ／ｓ、ピッチ幅１０μｍに設定してフェムト秒レーザを照射し、ガラス中の焦点位置に銀粒子を凝集させてレイヤー１の着色層を形成する。
次に、焦点位置を１００μｍ上げて、同様の走査でレイヤー２の着色層を形成し、さらに、焦点位置を１００μｍずつ上げながら、レイヤー３、レイヤー４及びレイヤー５の着色層を形成する。
こうして着色層の重なりを増やすことで、多諧調の着色画像を得ることができる。５層の着色層が重なった箇所では橙色に発色した。
【００３１】
図７は、分光光度計を用いて、着色層を重ねるごとに変化する銀含有ガラスの発色部での色度を測定し、ｘｙ色度図に画いたものである。図７に示すように、着色層を重ねるほど色が黄から赤に変化して行く傾向が見て取れる。これは、銀ナノ粒子の凝集が成長して赤が発色している可能性がある。
しかし、着色したガラスを５５０℃で６０分加熱したところ、発色部が消失した。そのためカラーセンタによる発色の可能性もある。
【００３２】
発色メカニズムの解明は今後の課題であるが、銀を含有するガラスにフェムト秒レーザを照射して多諧調画像を形成する本発明の方法は、色の濃淡の変化と共に、色の変化を齎しており、濃淡を加えたフルカラーマーキングの可能性を示している。
【産業上の利用可能性】
【００３３】
本発明は、レーザマーキングの応用分野である、装飾用途や製品管理、偽造防止等の各分野で幅広く利用することができ、特に、書き直し可能な記憶媒体への記録や、書き換え可能なディスプレイへの表示などに極めて有効である。
【図面の簡単な説明】
【００３４】
【図１】本発明の第１の実施形態における多諧調画像形成方法で用いるフェムト秒レーザ装置の構成を示す図
【図２】本発明の第１の実施形態における方法で形成した多諧調画像を模式的に示す図
【図３】本発明の第１の実施形態における方法で形成した多諧調画像を示す図
【図４】本発明の第１の実施形態における方法で形成した絵画の多諧調画像を示す図
【図５】本発明の第１の実施形態における方法で形成した写真の多諧調画像を示す図
【図６】銀の粒子径と透過色との関係を示す表
【図７】本発明の第２の実施形態における方法で形成した多諧調画像の色度を示す色度図
【図８】カラーセンタの生成を説明する化学式
【符号の説明】
【００３５】
１０  レーザ出力装置
１１  λ／２板
１２  Ｇｌａｎレーザープリズム
１３  ＮＤフィルタ
１４  シャッター
１５  ミラー
１６  ミラー
１７  ディクロイックミラー
１８  レンズ
１９  ＣＣＤカメラ
２０  集光レンズ
２１  自動３軸ステージ
２２  コントローラ
３０  試料
【図１】
2008044327.tif 000003
【図２】
2008044327.tif 000004
【図３】
2008044327.tif 000005
【図４】
2008044327.tif 000006
【図５】
2008044327.tif 000007
【図６】
2008044327.tif 000008
【図７】
2008044327.tif 000009
【図８】
2008044327.tif 000010